(57)【要約】【課題】パソコン等の解析ツールを必要とせずに、各測定場所において、他の場所に設置されている測定器の測定データを含めて解析できるようにする。【解決手段】例えば３台の測定器１０，２０，３０を有し、各測定器は、それぞれの被測定対象からの測定データを保存するデータ保存メモリ１３，２３，３３と、測定データのデータ保存メモリに対する書き込み、読み出しを制御する制御部１５，２５，３５と、測定データを表示する表示部１１，２１，３１と、各測定器との間で通信を行う通信部１４，２４，３４とを備え、例えば測定器１０制御部１５は、自己の測定器１０の所定の時間軸長の測定データをデータ保存メモリ１３から読み出して表示部１１に表示するにあたって、他の測定器２０，３０のデータ保存メモリ２３，３３から通信部１４，２４，３４を介して同一の時間軸長の測定データを読み出して表示部１１に併せて表示する。【選択図】図２
2010243167.tif 000002
【特許請求の範囲】
【請求項１】
少なくとも２つの測定器を有するデータ収録装置において、
上記各測定器は、それぞれの被測定対象からの測定データを保存するデータ保存メモリと、上記測定データの上記データ保存メモリに対する書き込み、読み出しを制御する制御部と、上記測定データを表示する表示部と、上記各測定器との間で通信を行う通信部とを備え、
上記制御部は、自己の測定器の所定の時間軸長の上記測定データを上記データ保存メモリから読み出して上記表示部に表示するにあたって、他の測定器の上記データ保存メモリから上記通信部を介して同一の時間軸長の上記測定データを読み出して上記表示部に併せて表示することを特徴とするデータ収録装置。
【請求項２】
上記制御部は、上記表示部の画面を時間軸と平行に上記測定器の数に対応して分割し、上記分割された画面の各々に、上記各測定データをそれぞれ表示することを特徴とする請求項１に記載のデータ収録装置。
【請求項３】
上記各データ保存メモリには、上記各測定データが同一の時間軸長を１区間として、複数の区間に区切られた複数のデータ列として保存されており、
上記表示部には、同一区間内の自己の測定器の上記データ列と、他の測定器の上記データ列とが併せて表示されることを特徴とする請求項１または請求項２に記載のデータ収録装置。
【請求項４】
上記各データ保存メモリには、上記各測定データが同一の時間軸長を１区間として、複数の区間に区切られた複数のデータ列として保存されており、
上記表示部には、所定の区間内の自己の測定器の上記データ列とともに、異なる区間の他の測定器の上記データ列が併せて表示されることを特徴とする請求項１または請求項２に記載のデータ収録装置。
【発明の詳細な説明】
【技術分野】
【０００１】
本発明は、異なる場所に設置される複数の測定器を有し、通信部を介して互いにデータを送受信するデータ収録装置に関し、さらに詳しく言えば、パソコン等の上位装置（主装置）を必要とせずに、各測定場所にてデータの解析を行うことができるデータ収録装置に関するものである。
【背景技術】
【０００２】
例えば、特許文献１に記載に記載されているデータ収録装置においては、遠隔に配置された複数の測定器（子機）をネットワーク（通信部）を介してパソコン等の上位装置（親機）に接続し、各測定器にて測定された測定データをネットワークを介して上位装置に集め、共通の時間軸上に並べて比較解析を行うようにしている。
【０００３】
しかしながら、この種のデータ収録装置では、もっぱら上位装置にてデータ解析を行うようにしているため、測定場所にデータ解析用の専用アプリケーションソフトや汎用のデータ解析ソフトがインストールされたパソコンがない場合には、各測定場所において、測定後すぐにデータを解析することができない、という問題がある。
【先行技術文献】
【特許文献】
【０００４】
【特許文献１】特開２０００−２４２８８２号公報
【発明の概要】
【発明が解決しようとする課題】
【０００５】
したがって、本発明の課題は、パソコン等の解析ツールを必要とせずに、各測定場所において、他の場所に設置されている測定器の測定データを含めて解析することのできるようにしたデータ収録装置を提供することにある。
【課題を解決するための手段】
【０００６】
上記課題を解決するため、本発明は、少なくとも２つの測定器を有するデータ収録装置において、上記各測定器は、それぞれの被測定対象からの測定データを保存するデータ保存メモリと、上記測定データの上記データ保存メモリに対する書き込み、読み出しを制御する制御部と、上記測定データを表示する表示部と、上記各測定器との間で通信を行う通信部とを備え、上記制御部は、自己の測定器の所定の時間軸長の上記測定データを上記データ保存メモリから読み出して上記表示部に表示するにあたって、他の測定器の上記データ保存メモリから上記通信部を介して同一の時間軸長の上記測定データを読み出して上記表示部に併せて表示することを特徴としている。
【０００７】
本発明の好ましい態様によれば、上記制御部は、上記表示部の画面を時間軸と平行に上記測定器の数に対応して分割し、上記分割された画面の各々に、上記各測定データをそれぞれ表示する。
【０００８】
また、上記各データ保存メモリには、上記各測定データが同一の時間軸長を１区間（測定インターバル）として、複数の区間に区切られた複数のデータ列として保存され、上記表示部には、同一区間内の自己の測定器の上記データ列と、他の測定器の上記データ列とが併せて表示される。
【０００９】
また、別の態様によれば、上記表示部には、所定の区間内の自己の測定器の上記データ列とともに、異なる区間の他の測定器の上記データ列が併せて表示される。
【発明の効果】
【００１０】
本発明によれば、各測定器は、測定データを保存するデータ保存メモリと、測定データのデータ保存メモリに対する書き込み、読み出しを制御する制御部と、測定データを表示するための表示部と、各測定器との間で双方向通信を行う通信部とを備えており、制御部は、自己の所定の時間軸長の測定データをデータ保存メモリから読み出して表示部に表示するにあたって、他の測定器のデータ保存メモリから上記通信部を介して同一時間軸長の測定データを読み出して表示部に併せて表示することにより、パソコン等の解析ツールを必要とせずに、各測定場所において、他の場所に設置されている測定器の測定データを含めて解析を行うことができる。
【図面の簡単な説明】
【００１１】
【図１】本発明によるデータ収録装置の構成を示す概略的な模式図。
【図２】各測定器の具体的な構成を示す模式図。
【発明を実施するための形態】
【００１２】
次に、図１および図２により、本発明の実施形態を説明するが、本発明はこれに限定されるものではない。例えば、この実施形態では、測定器を３台構成としているが、測定器の数を２台もしくは４台以上としたデータ収録装置も本発明に含まれる。なお、図１および図２において、被測定対象を実際に測定する測定部は図示を省略している。また、測定する物理現象は、例えば電流値、電圧値または温度等でよく、特に限定されない。
【００１３】
まず、図１を参照して、この実施形態に係るデータ収録装置１には、第１の測定器１０、第２の測定器２０および第３の測定器３０の３台が含まれ、各測定器間は、各通信部１４，２４，３４を介して双方向通信可能となっている。
【００１４】
図１，２では、各通信部１４，２４，３４にケーブルＣを接続することにより双方向通信可能とする態様が示されているが、無線によって双方向通信を実現させてもよい。
【００１５】
図２を参照して、第１の測定器１０には、表示部１１，表示用メモリ１２，データ保存メモリ１３，通信部１４，制御部１５および操作部１６が備えられている。
【００１６】
また同様に、第２の測定器２０にも、表示部２１，表示用メモリ２２，データ保存メモリ２３，通信部２４，制御部２５および操作部２６が備えられており、第３の測定器３０にも、表示部３１，表示用メモリ３２，データ保存メモリ３３，通信部３４，制御部３５および操作部３６が備えられている。
【００１７】
表示部１１，２１，３１は、液晶表示パネル等から構成され、各表示用メモリ１２，２２，３２に書き込まれた測定データが表示される。データ保存メモリ１３，２３，３３には、図示しない測定部にて測定された測定データが保存される。この実施形態において、表示用メモリ１２，２２，３２には揮発性メモリが用いられ、データ保存メモリ１３，２３，３３には不揮発性メモリが用いられている。
【００１８】
制御部１５，２５，３５は、測定データのデータ保存メモリ１３，２３，３３に対する書き込み、読み出しを制御する。読み出された測定データは、表示用メモリ１２，２２，３２に書き込まれ、表示部１１，２１，３１に表示される。
【００１９】
制御部１５，２５，３５には、ＣＰＵ（中央演算処理ユニット）もしくはマイクロコンピュータ等が用いられてよい。なお、操作部１６，２６，３６は、制御部１５，２５，３５にデータ解析上必要な指示を与えるものである。
【００２０】
また、この実施形態において、制御部１５，２５，３５は、表示部１１，２１，３１の各画面を時間軸と平行に測定器の数に対応して分割し、分割された各々の画面に各測定データを表示させる。
【００２１】
この実施形態では測定器が３台であるから、表示部１１，２１，３１は３つの画面に分割される。すなわち、表示部１１は、第１表示画面１１ａ，第２表示画面１１ｂおよび第３表示画面１１ｃに分割され、同様に、表示部２１は、第１表示画面２１ａ，第２表示画面２１ｂおよび第３表示画面２１ｃに分割され、表示部３１は、第１表示画面３１ａ，第２表示画面３１ｂおよび第３表示画面３１ｃに分割される。
【００２２】
図２に示すように、測定器１０，２０，３０の各データ保存メモリ１３，２３，３３には、測定開始時刻ｔ０から測定終了時刻ｔ７までの被測定対象からの測定データ１３０，２３０，３３０が保存されているものとして、本発明の動作について説明する。測定時刻は測定時点と読み替えられてもよい。 
【００２３】
なお、説明の便宜上、測定データ１３０，２３０，３３０は、ともに測定開始時刻ｔ０から測定終了時刻ｔ７までの間、同一の時間軸長（ｔ０〜ｔ１，ｔ１〜ｔ２，ｔ２〜ｔ３，ｔ３〜ｔ４，ｔ４〜ｔ５，ｔ５〜ｔ６，ｔ６〜ｔ７）で区切られて保存されているものとする。
【００２４】
すなわち、第１の測定器１０内の測定データ１３０は、データ保存メモリ１３内にて、ｔ０〜ｔ１間のデータ列１３０ａ，ｔ１〜ｔ２間のデータ列１３０ｂ，ｔ２〜ｔ３間のデータ列１３０ｃ，ｔ３〜ｔ４間のデータ列１３０ｄ，ｔ４〜ｔ５間のデータ列１３０ｅ，ｔ５〜ｔ６間のデータ列１３０ｆおよびｔ６〜ｔ７間のデータ列１３０ｇに区切られて保存されている。
【００２５】
また、第２の測定器２０内の測定データ２３０は、データ保存メモリ２３内にて、ｔ０〜ｔ１間のデータ列２３０ａ，ｔ１〜ｔ２間のデータ列２３０ｂ，ｔ２〜ｔ３間のデータ列２３０ｃ，ｔ３〜ｔ４間のデータ列２３０ｄ，ｔ４〜ｔ５間のデータ列２３０ｅ，ｔ５〜ｔ６間のデータ列２３０ｆおよびｔ６〜ｔ７間のデータ列２３０ｇに区切られて保存されている。
【００２６】
また、第３の測定器３０内の測定データ３３０も、データ保存メモリ３３内にて、ｔ０〜ｔ１間のデータ列３３０ａ，ｔ１〜ｔ２間のデータ列３３０ｂ，ｔ２〜ｔ３間のデータ列３３０ｃ，ｔ３〜ｔ４間のデータ列３３０ｄ，ｔ４〜ｔ５間のデータ列３３０ｅ，ｔ５〜ｔ６間のデータ列３３０ｆおよびｔ６〜ｔ７間のデータ列３３０ｇに区切られて保存されている。
【００２７】
第１の測定器１０にて、例えばｔ０〜ｔ１間の測定データを解析する場合、制御部１５は、自己の測定データ１３０のうち、ｔ０〜ｔ１間のデータ列１３０ａをデータ保存メモリ１３から読み出して表示用メモリ１２に書き込むとともに、第２測定器２０および第３測定器３０より、ｔ０〜ｔ１間のデータ列２３０ａ、３３０ａをそれぞれデータ保存メモリ２３，３３から読み出して表示用メモリ１２に書き込む。
【００２８】
表示用メモリ１２に書き込まれたデータ列１３０ａ，２３０ａ，３３０ａは、表示部１１に表示される。この実施形態では、図１に示すように、データ列１３０ａが第１表示画面１１ａに表示され、データ列２３０ａ，３３０ａがそれぞれ第２表示画面１１ｂ，第３表示画面１１ｃに表示される。
【００２９】
このように、第１の測定器１０の表示部１１に、ｔ０〜ｔ１間の自己のデータ列１３０ａとともに、第２の測定器２０のデータ列２３０ａおよび第３の測定器３０のデータ列３３０ａが並べて表示されるため、特に解析ソフトがインストールされたパソコン等の解析ツールがなくても、各測定器の測定データを解析することができる。
【００３０】
また、第２の測定器２０にて、例えばｔ１〜ｔ２間の測定データを解析する場合、制御部２５は、自己の測定データ２３０のうち、ｔ１〜ｔ２間のデータ列２３０ｂをデータ保存メモリ２３から読み出して表示用メモリ２２に書き込むとともに、第１の測定器１０および第３の測定器３０より、ｔ１〜ｔ２間のデータ列１３０ｂ，３３０ｂをデータ保存メモリ１３，３３から読み出して表示用メモリ２２に書き込む。
【００３１】
表示用メモリ２２に書き込まれたデータ１３０ｂ，２３０ｂ，３３０ｂは、表示部２１に表示される。この実施形態では、データ列１３０ｂが第１表示画面２１ａに表示され、データ列２３０ｂ，３３０ｂがそれぞれ第２表示画面２１ｂ，第３表示画面２１ｃに表示される（図１参照）。
【００３２】
これにより、第２の測定器２０の表示部２１に、ｔ１〜ｔ２間の自己のデータ列２３０ｂとともに、第１の測定器１０のデータ列１３０ｂおよび第３の測定器３０のデータ列３３０ｂが並べて表示されるため、上記と同様に、特に解析ソフトがインストールされたパソコン等の解析ツールがなくても、各測定器の測定データを解析することができる。
【００３３】
また、第３の測定器３０にて、例えばｔ２〜ｔ３間の測定データを解析する場合、制御部３５は、自己の測定データ３３０のうち、ｔ２〜ｔ３間のデータ列３３０ｃをデータ保存メモリ３２から読み出して表示用メモリ３２に書き込むともに、第１の測定器１０および第２の測定器２０より、ｔ２〜ｔ３間のデータ列１３０ｃ，２３０ｃをそれぞれデータ保存メモリ１３，２３から読み出して表示用メモリ３２に書き込む。
【００３４】
表示用メモリ３２に書き込まれたデータ１３０ｃ，２３０ｃ，３３０ｃは、表示部３１に表示される。この実施形態では、データ列１３０ｃが第１表示画面３１ａに表示され、データ列２３０ｃ、３３０ｃがそれぞれ第２表示画面３１ｂ，第３表示画面３１ｃに表示される（図１参照）。
【００３５】
これにより、第３の測定器３０の表示部３１に、ｔ２〜ｔ３間の自己のデータ列３３０ｃとともに、第１の測定器１０のデータ列１３０ｃおよび第２の測定器２０のデータ列２３０ｃが並べて表示されるため、上記と同様に、特に解析ソフトがインストールされたパソコン等の解析ツールがなくても、各測定器の測定データを解析することができる。
【００３６】
なお、この実施形態において、各操作部１６，２６，３６には、右スクロールボタン１６ａ，２６ａ，３６ａと、左スクロールボタン１６ｂ，２６ｂ，３６ｂとがそれぞれ含まれており、これらのスクロールボタンを操作することにより、表示を切り替えることができる。
【００３７】
例えば、第１の測定器１０において、右スクロールボタン１６ａをクリックすることにより、表示部１１の時間軸がｔ０〜ｔ１からｔ１〜ｔ２に切り替わり、第１表示画面１１ａに測定器１０のｔ１〜ｔ２間のデータ列１３０ｂ，第２表示画面１１ｂに測定器２０のｔ１〜ｔ２間のデータ列２３０ｂ，第３表示画面１１ｃに測定器３０のｔ１〜ｔ２間のデータ列３３０ｂが表示される。すなわち、図１に示されている第２の測定器２０の表示部２１の表示内容が第１の測定器１０の表示部１１に表示される。
【００３８】
さらに、第１の測定器１０の右スクロールボタンを１６ａをクリックすると、表示部１１の時間軸がｔ１〜ｔ２からｔ２〜ｔ３に切り替わり、第１表示画面１１ａに測定器１０のｔ２〜ｔ３間のデータ列１３０ｃ，第２表示画面１１ｂに測定器２０のｔ２〜ｔ３間のデータ列２３０ｃ，第３表示画面１１ｃに測定器３０のｔ２〜ｔ３間のデータ列３３０ｃが表示される。すなわち、第３の測定器３０の表示部３１の表示内容が第１の測定器１０の表示部１１に表示される。
【００３９】
また、本発明は、区間（測定インターバル）の異なる他の測定器のデータ列を自己の測定器に表示させることもできる。
【００４０】
例えば、第１の測定器１０において、第１表示画面１１ａにｔ０〜ｔ１間の自己のデータ列１３０ａを表示させ、第２表示画面１１ｂには第２の測定器２０のｔ１〜ｔ２間のデータ列２３０ｂを表示させ、第３表示画面１１ｃには第３の測定器３０のｔ２〜ｔ３間のデータ列３３０ｃを表示させることもできる。
【００４１】
この場合、第１の測定器１０の制御部１５は、自己のデータ保存メモリ１３からｔ０〜ｔ１間のデータ列１３０ａを読み出して表示用メモリ１２に書き込むとともに、第２の測定器２０のデータ保存メモリ２３からｔ１〜ｔ２間のデータ列２３０ｂを読み出し、また、第３の測定器２０のデータ保存メモリ３３からｔ２〜ｔ３間のデータ列３３０ｃを読み出して、それぞれ表示用メモリ１２に書き込む。
【００４２】
また、本発明は、自己の測定器の表示部に、自己の測定データのみを表示させることもできる。一例として、第１の測定器１０の表示部１１のうち、第１表示画面１１ａにはｔ０〜ｔ１間の自己の測定データ１３０ａを表示させ、第２表示画面１１ｂにはｔ１〜ｔ２間の自己の測定データ１３０ｂを表示させ、第３表示画面１１ｃにはｔ２〜ｔ３間の自己の測定データ１３０ｃを表示させる。
【００４３】
この表示態様によれば、表示部１１の限られた表示領域内にデータを圧縮することなく表示できるため、測定データを解析するうえで好都合である。
【００４４】
なお、本発明は、表示部１１に測定データの圧縮波形もしくは拡張（伸張）波形を表示することを排除するものではない。また、スクロールにしても、上記実施形態の区間単位のスクロールではなく、連続スクロールも可能である。
【００４５】
以上説明したように、本発明によれば、各測定器の測定データを測定器間で共有することができ、また、任意の区間（測定インターバル）の測定データを呼び出すことができるため、各測定器の設置場所にて特に解析ソフトがインストールされたパソコン等の解析ツールがなくても、各測定器の測定データを解析することができる。
【符号の説明】
【００４６】
１  データ収録装置
１０，２０，３０  測定器
１１，２１，３１  表示部
１２，２２，３２  表示用メモリ
１３，２３，３３  データ保存メモリ
１４，２４，３４  通信部
１５，２５，３５  制御部
１６，２６，３６  操作部
１３０，２３０，３３０  測定データ
Ｃ  通信ケーブル
【図１】
2010243167.tif 000003
【図２】
2010243167.tif 000004